(57)【要約】【課題】  従来の海水淡水化装置は浸透膜や加圧式など巨大な設備や膨大な電力の消費を要するものが殆どで経済的負担と環境への負荷が大きい。【解決手段】  装置が簡単であり無限に降り注ぐ太陽光熱を活用することにより原始的ではあるが僅かな電力の消費で済み経済的で自然環境に優しく長期に渉り淡水が得られ、加えて副産物として塩も精製できる。【特許請求の範囲】
【請求項１】
太陽光熱を利用するため浅い蒸発用海水糟にＡ，Ｂ，Ｃ，Ｄの４枚のパネルを寄棟型に構成した天蓋で覆い、パネルは太陽光熱の吸収効率を高めるため黒色系で熱伝導が良く耐久性に富む材質を用いることにより装置内の気温を高め海水槽の水温の上昇を早めこれにより蒸発が促進する、蒸発水滴は各パネル裏面ａ，ｂ，ｃ，ｄに付着しそれが溜まると急斜面を下部に向かって伝わって落ちる、各内部パネルａ，ｂ．ｃ，ｄの下辺にはそれぞれ蒸発水滴収集用の小さな樋が緩やかに左肩下がりの傾斜を付けて設けてあり、ａパネルの樋につたわり落ちた蒸発水はｂ，パネル樋に受け継がれて流れｂパネルの水滴もこれに加はる、このように順次ｃ、ｄ各樋の水滴が集められられるように予め各樋の高さが調整されている、、一番高いａパネル樋右端から一番低いｄパネル樋左端まで緩い傾斜が保たれているから、ｄパネル樋の最低部に集められた蒸留水を外部に取り出しタンクに蓄えることができるる、しかしながらこの蒸発装置単体では採集される水量が限ぎられるため収集する希望水量が多い場合はその水量に応じて同型の蒸発装置を並列に並べて運転し各装置からの蒸発水をパイプで集めタンクに蓄える、なおこの並列運転方式の場合は各装置の蒸発用水槽内の海水は一括して海中からポンプで吸い上げそれぞれの装置の分配口から供給される、一定時間の経過後蒸発に伴い蒸発用水槽内の海水の塩分濃度は増してくると蒸発効率が落ちるので、濃度の濃くなった海水は各装置の排水口からポンプによって吸い上げ別に設けられた曝気用のプールに注がれる、蒸発装置で塩分濃度が高まっているから直接太陽光熱と外気の風に晒すことにより効率よく塩が精製される、以上の性能を持った太陽光熱のみを利用した海水淡水化装置と付随して塩を精製できる装置である。
【発明の詳細な説明】
【発明の詳細な説明】
【技術分野】
【０００１】  本発明は、大きな電力の消費や加圧などの大掛かりな装置を必要とせず無限に地球に注がれる太陽光熱を活用し効率よく海水を淡水化し付随的に塩を精製する製造方法に関する。
【背景技術】
【０００２】  従来の海水淡水化装置は浸透膜を利用したものや加圧など膨大且つ複雑な装置が多くその何れも莫大な電気エネルギーを必要とするものが多い。
【発明が解決しようとする課題】
【０００３】  従来の海水淡水化は殆どが大きな装置により膨大な電力の消費を必要とし従って派生的に今問題のＣＯ２の発生の問題を多く抱えることになる、絶対的に必要な飲料水を確保するのに大規模な装置は経済的な負担が大きく環境への負荷が激しい、投資コストを抑え安価にして且つ地球に優しい淡水化が求められてきた。
【０００４】  本発明は、世界的に一番問題となっている電力の多消費に伴う排出ガスの抑制と環境の破壊を押さえ自然と共生しながら、無限に降り注がれる太陽光熱を上手に利用し電力の消費を極力抑え安価にして連続的に淡水を製造する方法を提供することを目的とした装置である。
【課題を解決するための手段】
【０００５】  上記目的を達成するために、本発明は大掛かりな装置に依り膨大な電力消費をもたらす強制的な処理をせず、無限にある太陽熱光熱のみを利用するため蒸発槽を覆うパネルの熱吸収を高めるため黒色系で熱伝導効率が良く且つ経年変化に強い材質を用いることにより蒸発装置内部の温度を極端に高め蒸発の促進を促す、Ａ，Ｂ，Ｃ，Ｄの各パネルの傾斜は６０度〜８０度程度に保たれ蒸発水滴が迅速にパネル裏側ａ，ｂ，ｃ，ｄの急斜面を迅速に伝わって下部に設けられた集水樋に効率よく注がれ淡水を作りやすくする、
【０００６】  また、ａ，ｂ，ｃ，ｄ面に設けられた集水用の樋はそれぞれ左肩下がりで傾斜を保ちａ樋の右端を最高位とし左端に向かって下がり、ｂ，樋の右端の最高位に並び同様にｃ，ｄと左傾斜しながら位置を下げｄ樋の左端を最低位にして各樋を経由して集められた淡水はパイプを通じタンクに蓄えられる。
【０００７】  また、本蒸発装置単体では収集する水の量は僅かであるから必要とする水量に応じ同型の蒸発装置を並列に複数個を設置する、各装置内の蒸発海水槽への海水は一括して海中よりポンプで吸い上げ各蒸発海水槽の給水口から供給される。
【０００８】  また、蒸発海水槽は蒸発に伴い一定時間後海水の塩分濃度は高まり蒸発効率が落ちてくるので各水槽の排水口よりポンプにより吸い上げられる、一方新しい海水が各水槽の給水口から供給され次の蒸発が準備される。
【０００９】  なお、各水槽からポンプで吸い集められた高濃度の海水はパイプを通じ別に設けられた曝気用のプールに注がれ直接太陽光に晒され自然の風を受け蒸発を早め効率よく塩の精製ができる。
【発明を実施するための最良の形態】
【００１０】  地球上で水の不足している地域は概ね降雨量が少なく従って年間晴天日数が多くその上灼熱の太陽光熱に晒されている、これらの地域はおしなべて経済的に恵まれず大きな資本投資による立派な設備を設置することは余り望めない、本装置はこのような地域に設置費用が余り掛からず大きな電力の消費も必要とせず無限の太陽光熱を使いランニングコストを余り掛けずに絶対不可欠な飲料水の供給を提供するものである。【００１１】  発明の実施の形態を図面を参照して説明する。
図１において、先ず基本となる蒸発装置を上部から見た形状でＡ，Ｂ，Ｃ，Ｄの各パネルが寄棟型に纏められ蒸発水槽を覆っている。図２に示される実施例では、蒸発装置のＡ，Ｂ，Ｃ，Ｄ各パネルを正面から見た側面図であって、これを内面から見たものを図３に示す、Ａ，Ｂ，Ｃ，Ｄパネル内面をそれぞれａ，ｂ，ｃ，ｄとする、先ず内面パネルａの右端から左端に向かって集水用樋が緩い傾斜を持って設けられてありパネルに溜まった蒸発水滴が急斜面を伝わり落ちたものを集め、ｂの樋右端に受け継がれｂパネル面の蒸発水滴もこれに加わり緩い傾斜により左端に流れる、同様にｃ，ｄ樋に受け継がれｄの左端からパイプで外部に導かれタンクに蓄えられる。【００１２】    以上は、蒸発装置単体の実施例であるが本装置単体が収集する水量は限界があるから希望水量が多い場合は単体を複数個並列に並べる、  図４にその実施例として蒸発装置を３個並べたものを示す、１の海水吸込口から２の吸込ポンプに依って吸い上げられた海水は３の分配用ポンプから４の各蒸発装置内の分配口５から蒸発用海水槽に供給される、一定時間経過後水分を蒸発し高濃度になった海水を各装置の６の排水口から濃縮海水吸込ポンプ７で吸い上げこれを８の送出ポンプで９の曝気用プールに送られ、太陽光と外気の風に晒され塩を精製する、一方各蒸発装置で作られた淡水は１０の淡水取出口からパイプで１１の淡水タンクに蓄えられ１２の取出口から随時とり出すことができる。
【図面の簡単な説明】
【図１】  蒸発装置を上部から見た図である。
【図２】  蒸発装置をＡ，Ｂ，Ｃ，Ｄ各パネルの正面に向かって見た側面図である。
【図３】  蒸発装置を内部からパネル内側ａ，ｂ，ｃ，ｄに向かって正面から見た側面図である。
【図４】  蒸発装置単体を３個並べた場合の実施の形態を現す図面である。
【符号の説明】
１  海水吸込口
２  海水吸込口ポンプ
３  分配ポンプ
４  蒸発装置
５  分配口
６  排水口
７  濃縮海水吸込ポンプ
８  送出ポンプ
９  曝気プール
１０  淡水取出口
１１  淡水タンク
１２  取出口
【図１】
2010000494.tif 000002
【図２】
2010000494.tif 000003
【図３】
2010000494.tif 000004
【図４】
2010000494.tif 000005